(57)【特許請求の範囲】
【請求項１】
ケースと、前記ケース内に一体に設けられた光反射面と、前記光反射面上の所定の取付位置に重ねられて固定される導光部材と、前記ケースと一体に設けられ、前記導光部材を前記取付位置に固定する一対の固定爪と、文字板と、指針と、光源と、を有する表示装置において、
前記導光部材が、一対の端部、導光部、該導光部を貫通する円筒部、及び該円筒部周囲の入光面を備え、前記光源の光を直接的に又は前記文字板の裏面に反射させて間接的に前記光反射面に導くものであり、
前記光反射面が、光を反射する処理が施され、前記導光部材によって導かれた光を前記文字板に向けて反射するものであり、
前記光源が、前記入光面に向けて光を発するように当該入光面に相対して配設され、
前記指針の軸が、前記円筒部を貫通しており、
前記一対の固定爪が、前記取付位置の内側から外側に延びて形成された可撓性を有するアーム部と、前記アーム部の先端に前記取付位置に向けて突出して形成され且つ前記導光部材の前記一対の端部を係止する係止突起部と、を有している
ことを特徴とする表示装置。
【請求項２】
前記係止突起部が、前記アーム部の先端から基端に向かうに従って前記アーム部から離れるように形成された傾斜面と、前記傾斜面と鋭角をなし且つ前記アーム部の基端側に向けて形成された係止面と、を有し、
前記導光部材の前記一対の端部が、前記係止突起部と対向する方向に突出して形成されており、さらに、前記係止面に当接されて係止される爪受面を有していることを特徴とする請求項１に記載の表示装置。
【請求項３】
前記導光部材の端部の前記爪受面側の角が丸められて形成されていることを特徴とする請求項２に記載の表示装置。
【発明の詳細な説明】
【技術分野】
【０００１】
本発明は、表示装置に関し、特に、光源の光を導く導光部材を有する表示装置に関するものである。
【背景技術】
【０００２】
上述した従来の表示装置として、自動車に搭載された速度メータやタコメータ等として用いられる表示装置が一般的に知られている。
【０００３】
例えば、特許文献１に速度メータとして示されている表示装置７００は、図８に示すようにカップ形のケーシング７１１と、このケーシング７１１に収容される透明な導光部材７１２と、この導光部材７１２の上に重ねられる光拡散板７１３と、さらにこの光拡散板７１３の上に載置される目盛り板７１４と、これらケーシング７１１、導光部材７１２、光拡散板７１３、目盛り板７１４を貫通し、基端側がケーシング７１１に対して回転自在に支持された回転軸７１５と、この回転軸７１５の先端に一体的に固定された指針７１６と、この指針７１６及び目盛り板７１４の上からケーシング７１１に重ねられる透明なカバー７１７と、で主要部が構成されている。
【０００４】
さらに、導光部材７１２は、光源からの光を導入するための環状の光入射端面部が一端側に形成された筒部７２６と、この筒部７２６の他端に一端側が続く漏斗状拡径部７２７と、筒部７２６の軸線に対して公差する平面に沿って延在する光を出射するために光出射面部７２８を表面側に有し且つ漏斗状拡径部７２７の他端側に続く平板部７２９とを備え、透明なアクリル樹脂などによって成形加工されている。また、平板部７２９の裏面には、それぞれ光の進行方向を変換するための複数の光偏向要素が形成されている。
【０００５】
この表示装置７００によれば、上述した導光部材７１２を備えているので、環状の光入射端面部から筒部７２６に入射した光を漏斗状拡径部７２７から平板部７２９に導き、その光出射面部７２８から出射させることができ、そのため、出射された光が光拡散板７１３で拡散されて目盛り板７１４を均一に照らすことができた。
【０００６】
しかしながら、上述した表示装置７００は、それを構成する部品点数が多いので、その分、組立工数も多く必要となり、製造コストを下げることが困難であった。
【０００７】
そこで、本発明者らは、表示装置の構成に着目して鋭意検討を行った結果、以下の表示装置を思いつくに至った。
【０００８】
表示装置８００は、図９に示すように、略円筒状に形成されたケース８１０と、ケース８１０内に一体に設けられ、中央部分が窪んだ円錐面状に形成された光反射面８１１と、光反射面８１１の中央部分に長円筒状に突出して設けられた導光部材取付部８１２と、光反射面８１１上の導光部材取付部８１２の外側近傍にケース８１０と一体に設けられた固定爪８１３と、固定爪８１３に端部８２０ａを係止されることにより導光部材取付部８１２に重ねられて固定されている導光部材８２０と、光反射面８１１と相対するようにケース８１０の一端側の開口部に重ねて配設された文字板８３０と、ケース８１０の他端側の開口部に重ねて配設された配線板８４０と、導光部材８２０に設けられた入光面８２０ｂと相対するように配線板８４０の表面に配設された光源８４１と、前記配線板８４０の裏面に配設されたムーブメント８４２と、光反射面８１１、導光部材８２０、及び、文字板８３０を順次貫通し、基端側がムーブメント８４２の回転軸８４２ａと連接されて回転自在に支持された指針軸８５１と、指針軸８５１の先端に固定され、文字板８３０上に設けられた指標を指示する指針８５２と、を有している。
【０００９】
固定爪８１３は、図１０に示すように、断面コ字状に形成された可撓性を有するアーム部８１３ａと、アーム部８１３ａの先端８１３ａ２に導光部材取付部８１２に向かって突出して設けられ且つ導光部材８２０の端部８２０ａを係止する係止突起部８１３ｂと、で構成されている。アーム部８１３ａの先端８１３ａ２は、導光部材取付部８１２の近傍に位置づけられ、アーム部８１３ａの基端８１３ａ１は、アーム部８１３ａの先端８１３ａ２より導光部材取付部８１２から離されて位置づけられている。アーム部８１３ａの基端８１３ａ１は光反射面８１１（即ち、ケース８１０）に連接されている。係止突起部８１３ｂは、アーム部８１３ａの先端８１３ａ２から基端８１３ａ１に向かうに従って徐々に導光部材取付部８１２に近づくように形成された傾斜面８１３ｂ１と、傾斜面８１３ｂ１と鋭角をなし且つアーム部８１３ａの先端８１３ａ２が向かう方向と反対方向（図中、下方向）に向けて形成された係止面８１３ｂ２とを有している。この係止面８１３ｂ２は、導光部材８２０の端部８２０ａに設けられた爪受面８２０ａ１と当接してそれを係止することにより、導光部材８２０を導光部材取付部８１２に固定する。
【００１０】
導光部材８２０は、光源８４１の光を直接的に又は文字板８３０の裏面に反射させて間接的に光反射面８１１に導くものであり、そして、光反射面８１１は、導光部材８２０によって導かれた光を文字板８３０に向けて反射して、文字板８３０を均一に照らすものである。
【００１１】
以上より、この表示装置８００によれば、光反射面８１１がケース８１０内に一体に設けられているので、組み付けが必要な部品点数が少なくなり、組立工数を削減することができた。また、上述した形状の固定爪８１３を有しているので、導光部材８２０の端部８２０ａを、この傾斜面８１３ｂ１に当接させて押し込むことにより、アーム部８１３ａがその先端８１３ａ２を基端８１３ａ１に近づけるように（図１１、矢印Ｆ１方向）撓んだのち、係止面８１３ｂ２が導光部材８２０の端部８２０ａの爪受面８２０ａ１と当接して係止し、そのため、導光部材８２０を容易に導光部材取付部８１２に固定することができた。
【特許文献１】特開２００３−２７０００３号公報
【発明の開示】
【発明が解決しようとする課題】
【００１２】
しかしながら、表示装置８００では、固定爪８１３がケース８１０と一体に光反射面８１１上に設けられているので、それが配設された箇所（図１０のＫで示される部分）の光反射面８１１が削られて、光を反射する面積が減少してしまうことになる。そのため、文字板８３０を照らす光量が減少し、また、文字板８３０全体を均一な光量で照らすことができないという問題があった。また、導光部材８２０を導光部材取付部８１２に固定するとき、図１１に示すように、アーム部８１３ａがその先端８１３ａ２を基端８１３ａ１に近づけるように、即ち、アーム部８１３ａを縮めて圧縮する方向に撓ませるので、強い力で導光部材８２０を押し込む必要があり、例えば、力の弱い作業者が連続して組み付けを行う場合などに、疲労によって組み付け数が制限されてしまうことがあり、組立性が悪いという問題があった。
【００１３】
本発明は、上記課題に係る問題を解決することを目的としている。即ち、本発明は、光反射面の減少を抑えるとともに、組立性を向上させることができる表示装置を提供することを目的としている。
【課題を解決するための手段】
【００１４】
上記目的を達成するために、請求項１に記載された発明は、ケースと、前記ケース内に一体に設けられた光反射面と、前記光反射面上の所定の取付位置に重ねられて固定される導光部材と、前記ケースと一体に設けられ、前記導光部材を前記取付位置に固定する一対の固定爪と、文字板と、指針と、光源と、を有する表示装置において、前記導光部材が、一対の端部、導光部、該導光部を貫通する円筒部、及び該円筒部周囲の入光面を備え、前記光源の光を直接的に又は前記文字板の裏面に反射させて間接的に前記光反射面に導くものであり、前記光反射面が、光を反射する処理が施され、前記導光部材によって導かれた光を前記文字板に向けて反射するものであり、前記光源が、前記入光面に向けて光を発するように当該入光面に相対して配設され、前記指針の軸が、前記円筒部を貫通しており、前記一対の固定爪が、前記取付位置の内側から外側に延びて形成された可撓性を有するアーム部と、前記アーム部の先端に前記取付位置に向けて突出して形成され且つ前記導光部材の前記一対の端部を係止する係止突起部と、を有していることを特徴とする表示装置である。
【００１５】
請求項２に記載された発明は、請求項１に記載された発明において、前記係止突起部が、前記アーム部の先端から基端に向かうに従って前記アーム部から離れるように形成された傾斜面と、前記傾斜面と鋭角をなし且つ前記アーム部の基端側に向けて形成された係止面と、を有し、前記導光部材の前記一対の端部が、前記係止突起部と対向する方向に突出して形成されており、さらに、前記係止面に当接されて係止される爪受面を有していることを特徴とするものである。
【００１６】
請求項３に記載された発明は、請求項２に記載された発明において、前記導光部材の端部の前記爪受面側の角が丸められて形成されていることを特徴とするものである。
【発明の効果】
【００１７】
請求項１に記載された発明によれば、固定爪が、取付位置の内側から外側に延びて形成された可撓性を有するアーム部を備えているので、導光部材が重ねられる取付位置の内側にアーム部が位置づけられ、そのため、光反射面を削ることなく導光部材を固定する固定爪を設けることができる。また、係止突起部が、取付位置に向かって突出して設けられているので、導光部材を取付位置に固定するとき、アーム部の先端をその基端から離すように、即ち、アーム部を広げて伸ばす方向に撓ませるので、アーム部を圧縮する方向に撓ませることに比べて少ない力で足り、そのため、導光部材をより容易に光反射面上に固定することができる。よって、光反射面の減少を抑えるとともに、組立性を向上させることができる。
【００１８】
請求項２に記載された発明によれば、固定爪の先端に設けられた係止突起部が、アーム部の先端から基端に向かうに従ってアーム部から離れるように形成された傾斜面を有しているので、導光部材を取付位置に固定するとき、導光部材の端部をこの傾斜面に当接して押し込むことにより、アーム部を広げて伸ばす方向に撓ませることができる。そして、係止突起部が、その傾斜面と鋭角をなし且つ前記アーム部の基端側に向けて形成された係止面を有し、導光部材の端部が、前記係止突起部と対向する方向に突出して形成されており、さらに、係止面に当接されて係止される爪受面を有しているので、導光部材を取付位置に向かって押し込み続け、係止面と爪受面とが同一平面に位置づけられたとき、アーム部の撓みがその弾性によって元に戻り、係止面と爪受面とを当接させて、導光部材の端部を係止突起部に係止させることができる。そのため、アーム部を撓ませる組立治具等が不要となり、該組立治具等に係るコストを削減してさらに組立性を向上させることができる。
【００１９】
請求項３に記載された発明によれば、導光部材の端部の爪受面側の角が丸められて形成されているので、係止突起部が導光部材の端部を容易に乗り越えて、係止面と爪受面とを容易に当接させることができ、そのため、導光部材の端部を係止突起部にスムースに係止させることができ、さらに組立性を向上させることができる。
【発明を実施するための最良の形態】
【００２０】
以下、本発明の一実施形態を示す表示装置を図１〜図７を参照して説明する。
【００２１】
図１において、１は本発明に係る表示装置であり、一例として、自動車の速度メータを示している。この表示装置１は、ケース１０と、導光部材２０と、文字板３０と、配線板４０と、指針部５０と、を有している。
【００２２】
ケース１０は、図１、図４に示すように、合成樹脂等によって略円筒状に形成されており、その内部に表示装置１を構成する部材の一部を収容して、それらを衝撃や埃等から保護している。ケース１０は、図示しないブラケット等を備え、コンビネーションメータ等に組み込まれて自動車のインスツルメントパネル等に取り付けられる。ケース１０は、光反射面１１と、導光部材取付部１２と、固定爪１３と、台部１４と、を有している。
【００２３】
光反射面１１は、ケース１０の一端部１０Ａの周縁からケース１０の軸心に向かい徐々にケース１０の他端部１０Ｂ側に近づくように傾斜されたすり鉢状（円錐状）の面であり、ケース１０の軸方向から見た平面視形状が略扇形に形成されている。光反射面１１には、例えば、アルミニウム蒸着などの光を反射する処理が施されている。光反射面１１の中央部分には長円形状の貫通穴１１ａが設けられている。
【００２４】
導光部材取付部１２は、光反射面１１の貫通穴１１ａの周縁に沿って、光反射面１１から突出して設けられた長円筒形状の突部である。導光部材取付部１２は、長径方向に沿って相対する位置に、矩形状に形成された一対の位置決め穴１２ａが設けられている。また、導光部材取付部１２は、短径方向に沿って相対する位置の外周縁が、それぞれ内側に向かって凹むように形成されており、それら位置に一対の固定爪１３が設けられている。この導光部材取付部１２には、導光部材２０が重ねられて取り付けられる。なお、導光部材取付部１２は、請求項中の取付位置に相当する。
【００２５】
一対の固定爪１３は、導光部材取付部１２の内側からその外側に向けて互いに反対方向に延びて設けられており、その先端部分が後述する導光部材２０の端部２０ａを係止して、導光部材２０を導光部材取付部１２に固定している。一対の固定爪１３は、ケース１０と一体に形成されている。固定爪１３は、図２に示すように、アーム部１３ａと、係止突起部１３ｂと、を有している。
【００２６】
アーム部１３ａは、断面コ字状に形成されており、その基端１３ａ１が導光部材取付部１２に連接されており、その先端１３ａ２が導光部材取付部１２の外側に位置づけられるように形成されている。アーム部１３ａは、光反射面１１との間に隙間Ｌが設けられており、アーム部１３ａの先端１３ａ２をその基端１３ａ１に対して接離する方向に撓ませることができる。
【００２７】
係止突起部１３ｂは、アーム部１３ａの先端１３ａ２に導光部材取付部１２に向かって突出して形成されており、傾斜面１３ｂ１と係止面１３ｂ２とを有している。傾斜面１３ｂ１は、アーム部１３ａの先端１３ａ２から基端１３ａ１に向かうに従い徐々にアーム部１３ａから離れるように（即ち、徐々に導光部材取付部１２に近づくように）形成されている。係止面１３ｂ２は、この傾斜面１３ｂ１と鋭角をなし且つその平面部分をアーム部１３ａの基端１３ａ１側に向けて（即ち、アーム部１３ａの先端１３ａ２が向かう方向と反対方向（図中、下方向）に向けて）形成されている。
【００２８】
台部１４は、ケース１０の一端部１０Ａと同じ高さに形成された略扇形の平面部である。台部１４には、例えば、速度メータに加えて、燃料メータなどのサブメータを備えた複合メータとして表示装置を構成したときに、このサブメータのための指標を備えた文字板及び該指標を指示する指針等が台部１４の表面に順次重ねて配置され、また、台部１４の裏面側には、サブメータの指針を駆動するムーブメント等が配設される。なお、本実施形態はサブメータを備えず、それを構成する部材は配置されない。
【００２９】
導光部材２０は、例えば、アクリル樹脂などの透明な合成樹脂等で形成されており、入射された光を直接的又は間接的に光反射面１１に導く部材である。導光部材２０は、図１、図５に示すように、一対の端部２０ａと、入光面２０ｂと、円筒部２０ｃと、一対のピン２０ｄと、導光部２０ｅと、を備えている。
【００３０】
導光部２０ｅは、平面視略長円形状であり、その短手方向に相対する外周縁の中央部分がそれぞれ内側に向けて絞られて形成されている。
【００３１】
導光部２０ｅの上面側（即ち、導光部材取付部１２と重ねられる面と反対に位置する面側）は、その外周縁から中心に向かって徐々に導光部２０ｅの下面側（即ち、導光部材取付部１２と重ねられる面側）に近づくようにすり鉢状（即ち、円錐面状）に形成されている。導光部２０ｅの下面側は、導光部材取付部１２及びその内側の貫通穴１１ａと嵌合するように、略円錐台形状に突出して形成されている。
【００３２】
導光部２０ｅの中心には、導光部２０ｅを貫通する円筒部２０ｃが設けられている。導光部２０ｅの下面側に位置する円筒部２０ｃの端部の周囲には、後述する光源４１の光を導光部２０ｅに導入する入光面２０ｂが環状に設けられている。導光部２０ｅの下面側でその長手方向に相対する外周縁近傍には、円柱状に突出した一対のピン２０ｄが設けられている。
【００３３】
導光部２０ｅの下面側でその短手方向に相対する外周縁近傍には、先端が外側（即ち、係止突起部１３ｂと対向する方向）に向けて突出するように断面略Ｌ字状に形成された一対の端部２０ａが設けられている。一対の端部２０ａは、請求項中の導光部材の端部に相当する。図２に示すように、端部２０ａには、その先端部分に導光部２０ｅの上面側（図中、上方向）を向いた爪受面２０ａ１が設けられている。また、端部２０ａの先端部分における爪受面２０ａ１側の角２０ａ２は丸められて形成されている。なお、本実施形態において、導光部材２０の端部２０ａは断面略Ｌ字状に形成されているものであったが、これに限らず、先端が係止突起部１３ｂと対向する方向に突出して形成され、その先端部分に固定爪１３に係止される爪受面が設けられているものであれば、その形状は任意である。
【００３４】
文字板３０は、図３に示すように、透光性の合成樹脂で平板状に形成されており、その表面に現在の速度測定量を表示するための文字や記号等の複数の指標３１を備えている。また、文字板３０は、図１に示すように、その裏面が光反射面１１と相対して、ケース１０の一端部１０Ａ側に図示しない係止構造（例えば、互いに係止し合う複数の取付爪等）によって固定されている。文字板３０の中央には、指針軸５１を挿通する貫通穴が設けられている。
【００３５】
文字板３０の複数の指標３１を設ける箇所には、文字板３０の表面及び裏面とも何ら塗装が施されず、文字板３０複数の指標３１を設けない箇所には、文字板３０の表面側に不透光性着色料が塗布されており、文字板３０の裏面側に光を反射する反射材が塗布されている。そのため、導光部材２０及び光反射面１１によって、文字板３０の裏面側から光が照射されると、一部の光が複数の指標３１を通過してそれら発光させ、他の一部の光は反射材により光反射面１１に向けて反射される。
【００３６】
配線板４０は、薄膜状の導体からなる配線パターンが設けられた周知のプリント基板であり、その一方の面には、導光部材２０に入光させる光を発する複数の光源４１が設けられ、その他方の面には、速度測定量に応じて指針５２を駆動するムーブメント４２が設けられている。また、これら以外にも、表示装置１の機能を実現するための図示しない電子部品が、この配線板４０上に設けられている。配線板４０は、複数の光源４１が設けられた面をケース１０内側に向けて、ケース１０の他端部１０Ｂに図示しない係止構造（例えば、互いに係止し合う複数の取付爪等）によって固定されている。
【００３７】
光源４１は、表面実装形の周知のＬＥＤであり、ケース１０の内側に位置する配線板４０の一方の面上で、且つ、導光部材２０の入光面２０ｂと相対する位置に配設されている。光源４１は、電源が供給されることによって、入光面２０ｂに向けて光を発する。
【００３８】
ムーブメント４２は、周知のステッピングモータであり、ケース１０の外側に位置する配線板４０の他方の面上に図示しないねじ等によって固定されている。ムーブメント４２の回転軸４２ａは、配線板４０に設けられた図示しない貫通穴を通って、その先端がケース１０内側に位置づけられている。ムーブメント４２は、図示しない制御装置から送られて来る速度測定量に応じた制御信号に基づいて、回転軸４２ａを正逆方向に回転させる。
【００３９】
指針部５０は、文字板３０の表面に位置づけられ、速度測定量に応じて文字板３０に設けられた複数の指標３１を指示する指針５２と、一方の端部が指針５２に連接され、他方の端部がムーブメント４２の回転軸４２ａに固定され、この回転軸４２ａの回転を指針５２に伝える指針軸５１と、を有している。指針部５０は、透明なアクリル樹脂などの合成樹脂で形成されており、指針軸５１の他方の端部近傍に設けられた図示しない入光面から、図示しない指針部用光源の光を入光させることで指針５２が発光する。
【００４０】
次に、表示装置１のケース１０に導光部材２０を組み付けるときの動作について図２、図５〜図７を参照して説明する。
【００４１】
図５に示すように、導光部材２０を、ケース１０に設けられた導光部材取付部１２の上方に位置づけ、そして、導光部材取付部１２の一対の位置決め穴１２ａに導光部材２０の一対のピン２０ｄを挿入するようにして、導光部材２０を導光部材取付部１２に重ねて配置する。
【００４２】
このとき、図６に示すように、導光部材２０の端部２０ａが、固定爪１３に設けられた傾斜面１３ｂ１に当接しており、この状態から導光部材２０を導光部材取付部１２に向かって押し込むと、導光部材２０の端部２０ａによって、傾斜面１３ｂ１に対し図中矢印Ｆ２の方向に力が生じ、アーム部１３ａが、その先端１３ａ２と基端１３ａ１とが離れる方向に広げられて撓む。
【００４３】
そして、導光部材２０をさらに押し込み続けると、図７に示すように、固定爪１３の係止突起部１３ｂが、導光部材２０の端部２０ａの角２０ａ２に沿って端部２０ａを乗り越え、図２に示すように、係止突起部１３ｂの係止面１３ｂ２と端部２０ａの爪受面２０ａ１とが当接して、固定爪１３が、導光部材２０の端部２０ａを係止して、導光部材２０が導光部材取付部１２に固定される。なお、図２においては、説明の便宜上、係止面１３ｂ２と爪受面２０ａ１との間に隙間が設けられているが、実際には、係止面１３ｂ２と爪受面２０ａ１とは互いに接している。
【００４４】
以上より、本発明によれば、固定爪１３が、導光部材取付部１２の内側から外側に延びて形成された可撓性を有するアーム部１３ａを備えているので、導光部材２０が重ねられる箇所（即ち、導光部材取付部１２内部）にアーム部１３ａが位置づけられ、そのため、光反射面１１（即ち、図２中のＫで示される箇所）を削ることなく導光部材２０を固定する固定爪１３を設けることができる。また、係止突起部１３ｂが、導光部材取付部１２に向かって突出して設けられているので、導光部材２０を導光部材取付部１２に固定するとき、アーム部１３ａの先端１３ａ２をその基端１３ａ１から離すように、即ち、アーム部１３ａを広げて伸ばす方向に撓ませるので、アーム部１３ａを圧縮する方向に撓ませることに比べて少ない力で足り、そのため、導光部材２０をより容易に光反射面１１上に固定することができる。よって、光反射面１１の減少を抑えるとともに、組立性を向上させることができる。
【００４５】
また、固定爪１３の先端に設けられた係止突起部１３ｂが、アーム部１３ａの先端１３ａ２から基端１３ａ１に向かうに従ってアーム部１３ａから離れるように（即ち、導光部材取付部１２に近づくように）形成された傾斜面１３ｂ１を有しているので、導光部材２０を導光部材取付部１２に固定するとき、導光部材２０の端部２０ａをこの傾斜面１３ｂ１に当接して押し込むことにより、アーム部１３ａを広げて伸ばす方向に撓ませることができる。そして、係止突起部１３ｂが、その傾斜面１３ｂ１と鋭角をなし且つアーム部１３ａの基端１３ａ１側に向けて形成された係止面１３ｂ２を有し、導光部材２０の端部２０ａが、係止突起部１３ｂと対向する方向に突出して形成されており、さらに、係止面１３ｂ２に当接されて係止される爪受面２０ａ１を有しているので、導光部材２０を導光部材取付部１２に向かって押し込み続け、係止面１３ｂ２と爪受面２０ａ１とが同一平面に位置づけられたとき、アーム部１３ａの撓みがその弾性によって元に戻り、係止面１３ｂ２と爪受面２０ａ１とを当接させて、導光部材２０の端部２０ａを係止突起部１３ｂに係止させることができる。そのため、アーム部１３ａを撓ませる組立治具等が不要となり、該組立治具等に係るコストを削減してさらに組立性を向上させることができる。
【００４６】
また、導光部材２０の端部２０ａの爪受面２０ａ１側の角２０ａ２が丸められて形成されているので、係止突起部１３ｂが導光部材２０の端部２０ａを容易に乗り越えて、係止面１３ｂ２と爪受面２０ａ１とを容易に当接させることができ、そのため、導光部材２０の端部２０ａを係止突起部１３ｂにスムースに係止させることができ、さらに組立性を向上させることができる。
【００４７】
なお、前述した実施形態は本発明の代表的な形態を示したに過ぎず、本発明は、実施形態に限定されるものではない。即ち、本発明の骨子を逸脱しない範囲で種々変形して実施することができる。
【図面の簡単な説明】
【００４８】
【図１】本発明の一実施形態を示す表示装置の断面図である。
【図２】図１中の楕円で囲った箇所の部分拡大図である。
【図３】図１の表示装置の正面図である。
【図４】図１の表示装置のケースの正面図である。
【図５】図１の表示装置のケース及び導光部材の分解立体図である。
【図６】図１の表示装置において導光部材の端部と固定爪とが当接した状態を示す部分拡大断面図である。
【図７】図１の表示装置において固定爪が撓んだ状態をしめす部分拡大断面図である。
【図８】従来の表示装置を示す分解立体図である。
【図９】従来の他の表示装置を示す断面図である。
【図１０】図９中の楕円で囲った箇所の部分拡大図である。
【図１１】図９の表示装置において導光部材の端部と固定爪とが当接した状態を示す部分拡大断面図である。
【符号の説明】
【００４９】
１        表示装置
１０      ケース
１１      光反射面
１２      導光部材取付部（取付位置）
１３      固定爪
１３ａ    アーム部
１３ｂ    係止突起部
１３ｂ１  傾斜面
１３ｂ２  係止面
２０      導光部材
２０ａ    導光部材の端部
２０ａ１  爪受面
２０ａ２  角
【図１】
0005390123.tif 000002
【図２】
0005390123.tif 000003
【図３】
0005390123.tif 000004
【図４】
0005390123.tif 000005
【図５】
0005390123.tif 000006
【図６】
0005390123.tif 000007
【図７】
0005390123.tif 000008
【図８】
0005390123.tif 000009
【図９】
0005390123.tif 000010
【図１０】
0005390123.tif 000011
【図１１】
0005390123.tif 000012